(57)【要約】【課題】なじみのある絞り（Ｆ）段数を用いて、広いダイナミック・レンジをコンパクトに表示可能にする。【解決手段】波形モニタ２０は、カメラ１２のオリジナル画像から、変更画像を生成する。波形モニタ２０の輝度測定システムは、オリジナル画像の画素の輝度値を生成し、これを等価なＦ段数値に変換する。カーソル範囲選択ブロック７０は、Ｆ段数値の範囲を生成し、カラー・カーソル・ミキサ８０は、オリジナル画像中のＦ段数値の範囲に入る画素を選択的に疑似カラーで着色して変更する。【選択図】図１
2020123977.tif 000002
【特許請求の範囲】
【請求項１】
測定装置の出力信号に関する表示を生成する方法であって、
複数の画素から構成されるオリジナル画像を受ける処理と、
上記画素から輝度情報を抽出する処理と、
上記画素の上記輝度情報を等価なＦ段数値に変換する処理と、
Ｆ段数値の第１範囲に入る等価な上記Ｆ段数値を選択する処理と、
上記Ｆ段数値の上記第１範囲に入るオリジナル画素を変更することによって、上記オリジナル画像を変更し、変更画像を生成する処理と、
上記変更画像を表示する処理と
を具える表示生成方法。
【請求項２】
複数の画素から構成されるオリジナル画像を受ける処理と、
上記画素の等価なＦ段数値を求める処理と、
上記等価なＦ段数値に基いて上記オリジナル画像の一部を疑似カラーに着色し、変更画像を生成する処理と、
上記変更画像を表示する処理と
を具える表示生成方法。
【請求項３】
画像入力部と、測定値の表示を見るためのモニタとを有する波形モニタであって、
上記画像入力部で受けたオリジナル画像の画素の輝度値を測定する測定システムと、
上記輝度値からＦ段数値を生成するよう構成された変換部と、
Ｆ段数値の範囲を生成するよう構成された選択部と
上記Ｆ段数値の範囲に入る選択された画素に関して上記オリジナル画像を変更するよう構成された変更部と
を具える波形モニタ。
【請求項４】
時間対Ｆ段数波形を生成する出力信号生成構造を更に具える請求項３記載の波形モニタ。
【発明の詳細な説明】
【技術分野】
【０００１】
本発明は、波形モニタ上に情報を表示する技術に関し、特に、カメラの出力信号波形を監視するための波形モニタと、その表示生成方法に関する。
【背景技術】
【０００２】
撮影現場におけるビデオ制作や映画制作では、撮影シーンのライティングやカメラの利得又は絞りを調整するのに、入射光メータ又は反射光（スポット）メータを使用することが度々必要になる。こうした露出計（光メータ）による測定やライティング調整が、絞り段数（Ｆ段数：F-stop）ような相対的な値で行われる。ユーザは、周知のように、撮像素子の露出時間（シャッター速度）と、レンズの絞り値（Ｆ値）との組み合わせを調整する過程で絞り段数を変化させる。Ｆ値は、レンズの焦点距離を有効口径で割り算して導かれる無次元の比率である。例えば、レンズの絞りを１段開ける（例えば、Ｆ値を2.8から２に小さくする）と、レンズを通過する光の量が２倍又は約６ｄＢ増加する。逆にレンズの絞りを１段絞る（例えば、Ｆ値を２から2.8に大きくする）と、レンズを通過する光の量が１／２になる。しかし、Ｆ値を１段変化させてもＦ値は、２の平方根（＝1.4142・・・）の比率でしか変化しない（非特許文献１参照）。Ｆ値は、典型的には、レンズの絞り（開口）調整のための指標として機能している。
【０００３】
現在、映画制作及びビデオ制作の両方で、電子的な撮像素子を用いたカメラが利用されており、この撮像素子は、非常に大きなダイナミック・レンジと、非常に大きな可変利得を有している。例えば、典型的なデジタル一眼レフ・カメラ（例えば、ニコン製Ｄ８００型など）では１４.４段あるのに比較して、ネガ・フィルムの場合では１３段である（約６ｄＢ／段）。映画制作やビデオ制作では、１２ビット分解能のデジタル・ビデオ出力信号に圧縮する場合はもちろん、１０ビット分解能のデジタル・ビデオ出力信号に圧縮する場合でさえ、カメラ内での比較的新しい対数（log）処理に加えて、伝統的なガンマ（power-law）補正が、ダイナミック・レンジに関して引き続き大きな地位を占めている。なお、最近の流行として、デジタル一眼レフ・カメラで静止画だけでなく、動画制作が行われている。これによると、従来のプロ用映像機材に比較して大幅に安価でありながら、大きなボケのある映像が制作できる。
【先行技術文献】
【特許文献】
【０００４】
【特許文献１】特開平１０−１７４１２８号公報
【特許文献２】特開２０００−２２４６１８号公報
【特許文献３】特開２０１１−１４６９３６号公報
【非特許文献】
【０００５】
【非特許文献１】「絞り値（F値）」の解説、特に「絞り値の変わり方」の項、株式会社ニコンイメージングジャパン、［オンライン］、［２０１５年４月４日検索］、インターネット<http://www.nikon-image.com/enjoy/phototech/manual/04/04.html>
【発明の概要】
【発明が解決しようとする課題】
【０００６】
撮影時などでは、カメラの調整（利得や絞り）及び撮影シーン・ライティングに基いて、ダイナミック・レンジをどのように上手に利用するか判断することが非常に重要である。これは、典型的には、カメラの出力信号をピクチャ・モニタ（ダイナミック・レンジは１０段より小さい）上で観測することによって、カメラの出力信号に対して行う。このとき、良く校正されたピクチャ・モニタを用いても、これを単純に観察した場合では、目が順応するために、詳細な部分は黒色に沈んで認識できない状態となり、ダイナミック・レンジは約７段に制限されてしまうことに注意されたい。ビデオ波形モニタも度々利用されるが、現在のところ、こうした波形モニタは、線形な電圧表示に限定されており、ダイナミック・レンジの大部分は、０に近いわずか数ｍＶに圧縮された黒色に近いものである。高ダイナミック・レンジの無線周波数（ＲＦ）信号を分析する場合と同様に、線形な波形のスケーリングは適切なものではない。
【０００７】
本発明の実施形態は、こうした従来技術の課題やその他の問題を解決しようとするものである。
【課題を解決するための手段】
【０００８】
本発明の実施形態には、重み付けしたカメラの出力信号波形をリアルタイムで観察するため方法及び装置があり、これは、カメラの撮像素子に適用するガンマ補正やその他の非線形補正と、波形をｌｏｇ２の「Ｆ段数」で重み付けした波形に変換して校正された目盛りとカーソルと共に表示することとを組み合わるものである。
【０００９】
加えて、本発明の実施形態には、校正されたＦ段数重み付け波形の任意の領域を、Ｆ段数値を読み出せる可変マーカ又はカーソルを用いて選択可能にする方法及び装置が含まれる。これら可変マーカによれば、好ましくは、このマーカで選択したＦ段数値に対応して、カメラ画像の画像表示上の対応する領域を示すことができる。
【００１０】
本発明の実施形態としては、オリジナル画像から変更画像を生成する波形モニタもあり、この波形モニタは、輝度値を生成し、続いてこれと等価なＦ段数値に変換する輝度測定システムを含んでいる。選択部は、Ｆ段数値の範囲を選択するのに用いられる。画像変更部は、選択されたＦ段数値の範囲に入る選択された画素に関してオリジナル画像を変更する。例えば、オリジナル画像に関して、選択された画素を着色した画素と入れ替えるか又は着色した画素と混ぜる、即ち、オリジナル画像の選択された画素を擬似的に着色する（本来の色を代わりの色に変更する）ことによって、オリジナル画像を変更するようにしても良い。このような手法で、画像を変更する方法に関しても開示する。
【００１１】
本発明をいくつかの観点から見ていくと、本発明の概念１は、測定装置の出力信号に関する表示を生成する方法であって、
複数の画素から構成されるオリジナル画像を受ける処理と、
上記画素から輝度情報を抽出する処理と、
上記画素の上記輝度情報を等価なＦ段数値（f-stop equivalent）に変換する処理と、
Ｆ段数値の第１範囲に入る等価な上記Ｆ段数値を選択する処理と、
上記Ｆ段数値の上記第１範囲に入るオリジナル画素を変更することによって、上記オリジナル画像を変更し、変更画像を生成する処理と、
上記変更画像を表示する処理と
を具えている。
【００１２】
本発明の概念２は、上記概念１の表示生成方法であって、このとき、上記Ｆ段数値の上記第１範囲の幅を、ユーザが調整可能である。
【００１３】
本発明の概念３は、上記概念１の表示生成方法であって、このとき、上記Ｆ段数値の上記第１範囲の中心を、ユーザが調整可能である。
【００１４】
本発明の概念４は、上記概念１の表示生成方法であって、このとき、上記オリジナル画素を変更することによって、上記オリジナル画像を変更する処理は、上記Ｆ段数値の上記第１範囲に入る上記オリジナル画素の少なくとも一部分をカラー画素と入れ替える処理を含んでいる。
【００１５】
本発明の概念５は、上記概念１の表示生成方法であって、このとき、上記オリジナル画素を変更することによって、上記オリジナル画像を変更する処理は、上記Ｆ段数値の上記第１範囲に入る上記オリジナル画素の少なくとも一部の画素の輝度値を、色の値と組み合わせる処理を含んでいる。
【００１６】
本発明の概念６は、上記概念１の表示生成方法であって、
Ｆ段数値の第２範囲に入る等価な上記Ｆ段数値を選択する処理と、
上記Ｆ段数値の上記第２範囲に入るオリジナル画素を変更することによって、上記オリジナル画像を変更し、変更画像を生成する処理と
を更に具え、
このとき、上記Ｆ段数値の上記第２範囲に入る上記オリジナル画素を変更する処理が、上記Ｆ段数値の上記第１範囲に入る上記オリジナル画素を変更する処理と異なっている。即ち、上記第１範囲及び上記第２範囲が異なり、それぞれの処理で異なる画素を変更する。
【００１７】
本発明の概念７は、上記概念６の表示生成方法であって、このとき、上記Ｆ段数値の上記第１範囲に入る上記オリジナル画素を変更する処理は、第１カラーを上記オリジナル画素に適用することによって上記オリジナル画素を変更する処理を含み、また、上記Ｆ段数値の上記第２範囲に入る上記オリジナル画素を変更する処理は、第２カラーを上記オリジナル画素に適用することによって上記オリジナル画素を変更する処理を含んでいる。
【００１８】
本発明の概念８は、測定装置の出力信号に関する表示を生成する方法であって、
複数の画素から構成されるオリジナル画像を受ける処理と、
上記画素の等価なＦ段数値（f-stop equivalent）を求める処理と、
上記等価なＦ段数値に基いて上記オリジナル画像の一部を疑似カラーに着色し、変更画像を生成する処理と、
上記変更画像を表示する処理と
を具えている。
【００１９】
本発明の概念９は、上記概念８の表示生成方法であって、このとき、上記オリジナル画像の一部を上記疑似カラーに着色する処理が、上記Ｆ段数値の上記第１範囲に入るオリジナル画素の少なくとも一部分をカラー画素に入れ替える処理を含んでいる。
【００２０】
本発明の概念１０は、上記概念８の表示生成方法であって、このとき、上記オリジナル画像の一部を上記疑似カラーに着色する処理が、上記Ｆ段数値の上記第１範囲に入るオリジナル画素の少なくとも一部分をカラー画素と混ぜ合わせる処理を含んでいる。
【００２１】
本発明の概念１１は、画像入力部と、測定値の表示を見るためのモニタとを有する波形モニタであって、
上記画像入力部で受けたオリジナル画像の画素の輝度値を測定する測定システムと、
上記輝度値からＦ段数値を生成するよう構成された変換部と、
Ｆ段数値の範囲を生成するよう構成された選択部と
上記Ｆ段数値の範囲に入る選択された画素に関して上記オリジナル画像を変更するよう構成された変更部と
を具えている。
【００２２】
本発明の概念１２は、上記概念１１の波形モニタであって、このとき、上記変更部は、上記選択された画素をカラー画素に入れ替えるよう構成されている。
【００２３】
本発明の概念１３は、上記概念１１の波形モニタであって、このとき、上記変更部は、上記選択された画素をカラー画素と組み合わせるよう構成されている。
【００２４】
本発明の概念１４は、上記概念１１の波形モニタであって、このとき、上記選択部は、ユーザが制御可能である。
【００２５】
本発明の概念１５は、上記概念１１の波形モニタであって、このとき、上記選択部は、第２のＦ段数値の範囲を生成するよう更に構成されている。
【００２６】
本発明の概念１６は、上記概念１５の波形モニタであって、このとき、上記変更部が、上記第２のＦ段数値の範囲に入る選択された画素に関して上記オリジナル画像を変更するよう更に構成されている。
【００２７】
本発明の概念１７は、上記概念１１の波形モニタであって、時間対Ｆ段数波形を生成する出力信号生成構造を更に具えている。
【００２８】
本発明の概念１８は、上記概念１１の波形モニタであって、このとき、上記Ｆ段数値を生成するよう校正された上記コンバータは、ルックアップ・テーブル（ＬＵＴ）を有することを特徴としている。
【００２９】
本発明の概念１９は、上記概念１８の波形モニタであって、このとき、上記ＬＵＴは、波形モニタがアクセス可能な予め記憶された複数のＬＵＴの中の１つであることを特徴としている。
【００３０】
本発明の概念２０は、上記概念１７の波形モニタであって、このとき、上記モニタは、上記時間対Ｆ段数波形を表示すると共に、上記Ｆ段数値の範囲を定めるためのユーザが制御可能なカーソルを表示することを特徴としている。
【図面の簡単な説明】
【００３１】
【図１】図１は、本発明によるモニタ・マーカを有するビデオ波形モニタの例のブロック図である。
【図２Ａ】図２Ａは、従来の時間対電圧波形の表示出力の例である。
【図２Ｂ】図２Ｂは、図１の波形モニタで生成された新しい時間対Ｆ段数値の表示出力の例である。
【図３】図３は、本発明の実施形態を説明するのに使用するオリジナルのキャプチャ画像である。
【図４】図４は、図３の画像に関する伝統的な電圧波形を示す。
【図５】図５は、本発明の実施形態によるＦＳ低及びＦＳ高のカーソルを有する図３の画像に関するＦ段数波形を示す。
【図６】図６は、本発明の実施形態に従って、図３のキャプチャ画像を色を用いて強調表示することで変更した画像を示す。
【発明を実施するための形態】
【００３２】
上述のように、本発明の実施形態は、伝統的な線形電圧表示やＩＲＥレベルに加えて、相対的な絞り段数（log２スケール：光の量が２倍変化する毎にＦ値が１段変わる）の観点から、カメラからのライブのビデオ信号を評価するのに利用できる。これは、アナログ・カメラの出力信号でさえも、絞り段数（Ｆ段数：f-stop）の観点で、露出計（光メータ）の相対的なライティング及び露出の値に効果的に変換する。なお、ＩＲＥ（Institute of Radio Engineers）とは、ビデオのコンポジット映像信号のペデスタル・レベルを０％とし、完全な白レベルを１００％として表現したときの単位で、１００ＩＲＥは、ＮＴＳＣでは７１４ｍＶ、ＰＡＬでは７００ｍＶに相当する。
【００３３】
図１は、本発明によるビデオ波形モニタの例のハードウェア部分を中心とするブロック図である。図１に示すように、波形モニタ２０は、カメラ１２とつながって、入力信号を受ける。カメラ１２は、被写体１４に向けられ、被写体１４は、ライティング１６によって照らされている。カメラ１２には、通常、絞り及び露出指数の調整機構があり、これらはカメラの操作者が制御しても良いし、カメラ１２によって自動的に調整されるようにしても良い。カメラ１２の出力信号は、波形モニタ２０に入力される。
【００３４】
カメラ１２の出力信号は、最初に入力プロセッサ３０で処理され、続いてルーマ（Luma：輝度）フィルタ３２を通過する。フィルタ３２は、例えば、ローパス・フィルタであり、ユーザ・インタフェース（ＵＩ）５０などを用いて、ユーザがフィルタ３２をオン／オフするようにしても良い。フィルタ処理出力信号又はフィルタ非処理の出力信号は、ルックアップ・テーブル（ＬＵＴ）４０に供給される。ＬＵＴ４０は、予め設定したテーブル（プリセット・テーブル）を用いて、ユーザ・インタフェース５０を介してロードされる。プリセット・テーブルは、予めいくつか用意しておき、その中から１つをユーザが選んでロードするようにしても良い。例えば、ＬＵＴ４０の１つのオプションとして、ルーマ信号（輝度信号）に対してガンマ補正（ガンマ除去）又は対数（log）処理を行うためのＬＵＴ４０Ａを用いても良い。ＬＵＴ４０の別のオプションとしては、ルーマ信号ＹをＬｏｇ２（Ｙ／Ｙmax）スケールに変換し、これによって、リアルタイムでＦ段数ルーマ信号を波形表示するようにするＬＵＴ４０Ｂがある（このような波形表示を、図２Ｂに示す）。このとき、Ｙmaxは、ルーマ信号（輝度信号）の最大値、即ち、白レベル（ＰＡＬでは７００ｍＶ）である。底が２の対数を用いているので、（Ｙ／Ｙmax）が２倍になると、Ｆ段数値が１つ増加する。例えば、この例におけるＦ段数値−２.４は、電圧に換算すると１３２.６ｍＶに相当し、Ｆ段数値−５.９は１１.７ｍＶに相当する。このように、図２Ａ及び２Ｂに示す表示例の上では、同じような位置にあるカーソル１及び２であるが、図２Ｂのカーソル１及び２の間の差（デルタ）は、電圧に換算して考えると、図２Ａに示すような線形な電圧スケールで表示した場合に比較して、大幅に大きいことがわかる。また、線形な電圧スケールに比較し、黒レベル（０電圧）付近を詳細に表示できることもわかる。ＬＵＴのサイズを小さくするため、乗算と対数スケーリングの両方の演算処理が予め正確に行われて、ＬＵＴの全ワードが単一なデータ・セットへと変換されるので、線形な光量値の広いダイナミック・レンジを表現するのに大きなワード・サイズを必要としない。
【００３５】
上述の如く、波形モニタ２０に記憶されるＬＵＴは、複数あっても良い。ユーザは、ユーザ・インタフェース５０を用いて、記憶された複数のＬＵＴの中のどれをアクティブなＬＵＴ４０としてロードするかを制御できる。例えば、種々のＬＵＴを予め波形モニタ２０に記憶しておいても良く、これによって、ユーザが、カメラのガンマや黒レベルに基いてアクティブなＬＵＴ４０を選択できるようにしても良い。
【００３６】
波形モニタ２０上の表示モニタ（表示装置）６０は、ユーザに対して出力信号を表示する。モニタ６０は、図２Ａに示すような伝統的な時間対電圧波形を表示するのに使用できる一方で、図２Ｂに示すような新しい時間対Ｆ段数波形を示すのにも使用できる。この新しい時間対Ｆ段数波形表示では、伝統的な時間対電圧波形表示と同じく、ユーザが調整可能なカーソルを利用できるが、出力信号のスケールが電圧ではなく「Ｆ段数」である点で異なっている。図２Ａ及び２Ｂに示すように、水平時間軸は両方の表示で同じであり、例えば、１ライン、２ライン、フィールド掃引などのような従来からのスケールが選択できる。
【００３７】
加えて、カーソル範囲（ウィンドウ）選択ブロック７０は、ユーザ・インタフェース５０を通してユーザからの入力を受けて、ユーザが設定した複数の可変カーソル値を読み取る。これら可変カーソル値は、２値ゲート信号として、波形モニタ２０のモノクローム出力信号を変更するのに利用される。具体的には、入力プロセッサ３０がカメラからの入力信号を受けて必要な処理を行い、カラー・カーソル・ミキサ８０は、入力プロセッサ３０に結合されて、入力プロセッサ３０から処理した信号を処理された入力信号を受ける。なお、カラー・カーソル・ミキサ８０は、波形モニタ２０の別の構成要素から処理された入力信号を受けるようにしても良い。カラー・カーソル・ミキサ８０は、カーソル範囲選択ブロック７０にも結合されている。カーソル範囲選択ブロック７０からの２値ゲート信号は、オリジナルのモノクローム出力信号のどの領域を着色するか、即ち、出力信号中の強調表示する領域を決定するのに利用される。このように、カラー・カーソル・ミキサ８０は、画像変更部として機能する。
【００３８】
例えば、図３と図６の出力信号を比較すると、図３はオリジナルのモノクローム出力信号であり、一方、図６の出力信号は、オリジナルのモノクローム画像上に、ユーザが選択したＦ段数範囲に入る画像領域を示すため、色を用いて強調表示された部分がある。図３に示すキャプチャ画像がルーマ（輝度）だけ、つまり、モノクローム画像である一方で、図６では、詳しくは後述のように、２つの色によるカーソル範囲（例として、赤色と青色）が加えられている。なお、図６では、図面がグレースケールであるため、赤色領域を水平方向の縞模様で、青色領域を垂直方向の縞模様（人物のあごの下部分など）で示している。
【００３９】
図１を再度参照すると、図６の出力信号を生成するため、カーソル範囲選択ブロック７０内の検出回路で、ＬＵＴ４０（具体的には、ＬＵＴ４０Ｂ）からのｌｏｇ２（Ｙ／Ｙmax）信号と、ユーザが制御可能な２つのカーソル範囲とが比較される。ユーザは、カーソル範囲の位置と大きさを制御できる。具体的には、ある実施形態では、ユーザがＦ段数の値の中心値と、カーソル範囲の大きさを制御しても良い。別の実施形態では、２つのカーソルを用いて、ユーザがカーソル範囲を定めても良い。システムでは、この範囲を用いて、２値ゲート信号を生成する。ルーマ出力信号中の画素のＦ段数の値（輝度値）が特定されたカーソル範囲内に入っている場合、その画素は表示上で色つきの画素として示され、これによって、出力信号中のどの画素が指定したＦ段数範囲内にあるかという情報をユーザに提供する。残りの画素、つまり、オリジナル画素中の指定されたカーソル範囲外のレベルの輝度を有する画素は、表示上で変化なしで示される。
【００４０】
カーソル範囲は、例えば、１／４段のステップで調整できるようにしても良い。また、例えば、カーソル範囲は、ユーザが設定したＦ段数中心値からプラス・マイナス１／４段の範囲に予め設定しておいても良い。Ｆ段数中心値は、ＬＵＴ４０から得られる信号の全範囲に渡って調整可能である。この方法では、ユーザは、１つのカーソルを調整して画像の特定領域を強調表示でき、これによって、図２Ｂ又は図５に示すＦ段数波形上のそのカーソルの値から、そのＦ段数値の輝度値を有する画像上の特定領域に加えて、プラス・マイナス１／４段の幅があるので、ほぼ同じＦ段数値の輝度値を有する他の領域を特定できる。
【００４１】
カラー・カーソル・ミキサ８０は、例えば、赤色及び青色画素の着色信号を生成し、オリジナル画像に合成して、図６に示すようは変更画像を生成する。ある実施形態では、カラー・カーソル・ミキサ８０は、例えば、設定したＦ段数範囲に入るオリジナル画素を、単色の赤色又は青色の画素に単純に入れ替える。別の実施形態では、カラー・カーソル・ミキサ８０が、その下地となる輝度データに色調を加えることで色の混じった出力信号を生成しても良い。また、これら例では、モノクロームを基本とする画像を示したが、本発明の実施形態は、ルーマ（輝度）ベースのものに限定されず、例えば、赤、緑、青の各色のチャンネルで独立に実施しても良い。
【００４２】
図６に示した実施例では、２つ色のカーソル範囲が存在するが、波形モニタ２０は、もっと多数のカーソル範囲も生成できるし、もっと少ないカーソル範囲も生成できる。
【００４３】
図４は、図３の画像の伝統的な電圧波形（VmV_wfmn）を示している。図５は、同様に図３の画像に関する出力信号を示しているが、図５では、本発明の実施形態による図３の画像に関するＦ段数波形（Fstop_wfmn）を示しており、２つのカーソルＦＳ低（Ｆ段数低の意味）とＦＳ高（Ｆ段数高の意味）を有している。
【００４４】
本発明の実施形態を利用することで、撮影シーンのライティングに連動させて、カメラの利得／絞り／シャッター・スピードの調整が、なじみのあるＦ段数単位で容易に行え、カメラを露出計として効果的に利用できる。例えば、本発明の実施形態を利用することで、ユーザは、図５に示したように、Ｆ段数単位で線形化したスケールの目盛りが示された表示上でＦ段数で重み付けされた波形を見ることができる。また、本発明の実施形態によれば、Ｆ段数波形とモノクローム画像表示上の疑似カラー領域とを利用して、画像／シーンのコンテンツ要素のデルタＦ段数の差分測定値をユーザが制御できるようにすることで、２つのカーソルを用いてユーザがＦ段数単位でシーンのホット・スポットやライティング不均一性を測定できるようにもなる。更に、本発明の実施形態によれば、正確な黒レベル調整や高分解能でのブラック・バランス調整（黒を正確に再現するために、ＲＧＢ三原色のレベルを調整すること）してカメラの特性を調整（カメラ・マッチング）でき、また、カメラのノイズを高分解能で表示できる。更には、本発明の実施形態は、映像シーンのコンテンツのダイナミック・レンジを評価するツールとして利用でき、これによって、芸術性（映像表現）の観点からダイナミック・レンジを最適化するのに利用できる。
【００４５】
波形モニタ２０やその任意の構成部分は、ＡＳＩＣのような特定用向けに設計された回路やＦＰＧＡにおいて、ファームウェアで実現しても良いし、又は、１つ以上のプロセッサ上で実行される１つ以上のソフトウェア・プロセスとして実現しても良い。別の実施形態では、波形モニタ２０が、例えば、ファームウェア、ＡＳＩＣ、ＦＰＧＡ及びソフトウェア上で実行されるコンポーネント又は処理の組み合わせを含んでいても良い。
【００４６】
本発明の具体的な実施形態を実例で説明し、実例を説明する目的で記述してきたが、本発明の精神と範囲から逸脱することなく、多様な変形が可能なことは明らかであろう。
【符号の説明】
【００４７】
１２  カメラ
１４  被写体
１６  ライティング
２０  波形モニタ
３２  ルーマ・フィルタ（輝度フィルタ）
４０  Ｆ段数ルックアップ・テーブル（変換部）
５０  ユーザ・インタフェース
６０  表示装置（モニタ）
７０  カーソル範囲選択ブロック（選択部）
８０  カラー・カーソル・ミキサ（画像変更部）
【図１】
2020123977.tif 000003
【図２Ａ】
2020123977.tif 000004
【図２Ｂ】
2020123977.tif 000005
【図３】
2020123977.tif 000006
【図４】
2020123977.tif 000007
【図５】
2020123977.tif 000008
【図６】
2020123977.tif 000009
【手続補正書】
【提出日】令和2年5月25日(2020.5.25)
【手続補正２】
【補正対象書類名】特許請求の範囲
【補正対象項目名】全文
【補正方法】変更
【補正の内容】
【特許請求の範囲】
【請求項１】
画像入力部と、測定値の表示を見るためのモニタとを有する波形モニタであって、
上記画像入力部で受けたオリジナル画像から画素の輝度値を測定する測定システムと、
該測定された輝度値をLog2(Y/Ymax)スケールに変換するすることによって、上記測定された輝度値からＦ段数値を生成するように構成された変換部であって、このうちYが上記測定された輝度値の輝度値であり、Ymaxが上記測定された輝度値のうちの最大輝度値である変換部と、
時間対Ｆ段数波形を生成する出力信号生成構造と
を具える波形モニタ。
【請求項２】
上記Ｆ段数値を生成するように構成された変換部がルックアップ・テーブルを有する上記請求項１に記載の波形モニタ。
【請求項３】
上記ルックアップ・テーブルが、波形モニタがアクセス可能な予め記憶された複数のルックアップ・テーブルのうちの一つである上記請求項２に記載の波形モニタ。
【請求項４】
上記変換部が、さらに、上記測定された輝度値を線形の光表示に変換するように構成されており、上記出力信号生成構造がさらに時間対線形光波形を生成するように構成されている上記請求項１に記載の波形モニタ。
【請求項５】
上記時間対Ｆ段数波形がF段数目盛のY軸を有する上記請求項１に記載の波形モニタ。
【請求項６】
測定装置からの出力の表示を生成する方法であって、
複数の画素から構成されるオリジナル画像を受けることと、
上記複数の画素から輝度情報を抽出することと、
上記複数の画素の輝度情報を等価なＦ段数値に変換することと、
上記復数の画素の等価なＦ段数値に対して時間対Ｆ段数波形を生成すること
からなる表示生成方法。
【請求項７】
上記複数の画素の輝度情報を等価なＦ段数値に変換することに、ルックアップ・テーブルによる等価なF 段数値の決定が含まれる上記請求項６に記載の表示生成方法。
【請求項８】
上記ルックアップ・テーブルによる等価なF 段数値の決定に、上記輝度情報をLog2(Y/Ymax)スケールに変換することが含まれており、このうちYが上記輝度情報の輝度値であり、Ymaxが上記輝度情報のうちの最大輝度値である上記請求項７に記載の表示生成方法。
【請求項９】
上記複数の画素の輝度情報を等価なＦ段数値に変換することに、予め測定機器に記憶された複数のルックアップ・テーブルのうちの一つによる等価なF 段数値の決定が含まれる上記請求項７に記載の表示生成方法。
【請求項１０】
カメラからのライブビデオ信号を評価するシステムであって、
ビデオ出力を生成するように調整されたカメラと、
該カメラのビデオ出力に連結される画像入力部と測定値の表示を見るためのモニタとを有する波形モニタを具え、
上記波形モニタが、
上記画像入力部で受けたオリジナル画像から複数の画素の輝度値を測定する測定システムと、
上記測定された輝度値からＦ段数値を生成するように構成された変換部と、
時間対Ｆ段数波形を生成する出力信号生成構造と
を有するシステム。
【請求項１１】
上記Ｆ段数値を生成するように構成された変換部がルックアップ・テーブルを有する上記請求項１０に記載のカメラからのライブビデオ信号を評価するシステム。
【請求項１２】
上記ルックアップ・テーブルが、波形モニタがアクセス可能な予め記憶された複数のルックアップ・テーブルのうちの一つである上記請求項１１に記載のカメラからのライブビデオ信号を評価するシステム。
【請求項１３】
上記ルックアップ・テーブルが、上記測定された輝度値をLog2(Y/Ymax)スケールに変換するように構成されており、このうちYが上記測定された輝度値の輝度値であり、Ymaxが上記測定された輝度値のうちの最大輝度値である上記請求項１１に記載のカメラからのライブビデオ信号を評価するシステム。
【請求項１４】
上記変換部が、さらに、上記測定された輝度値を線形の光表示に変換するように構成されている上記請求項１０に記載のカメラからのライブビデオ信号を評価するシステム。
【請求項１５】
上記時間対Ｆ段数波形がF段数目盛のY軸を有する上記請求項１０に記載のカメラからのライブビデオ信号を評価するシステム。
【請求項１６】
上記出力信号生成構造が、上記カメラがビデオ出力を生成するときに、時間対Ｆ段数波形を生成するように構成されている上記請求項１０に記載のカメラからのライブビデオ信号を評価するシステム。